(57)【特許請求の範囲】
【請求項１】
ネットワーク補助式干渉除去と抑制（ＮＡＩＣＳ：Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）方法であって、
ユーザ装置ＵＥは、ＮＡＩＣＳを行うときにサポートできるコンポーネントキャリアの個数を基地局に報告することと、
前記ＵＥは、前記基地局によって送信された干渉除去指示メッセージを受信することと、
前記ＵＥは前記干渉除去指示メッセージに基づいて、コンポーネントキャリアに対してＮＡＩＣＳを行うことと、を含み、
前記干渉除去指示メッセージは、前記基地局によって前記ＮＡＩＣＳを行うときにサポートできるコンポーネントキャリアの個数に基づいて確定された、ＵＥがＮＡＩＣＳを行うときに対応するコンポーネントキャリアの識別子を含み、
前記コンポーネントキャリアは、ＵＥに対してキャリアアグリゲーション伝送を行うコンポーネントキャリアに属し、
前記ＵＥが、前記基地局によって前記干渉除去指示メッセージに含まれたコンポーネントキャリアの識別子に対応するコンポーネントキャリアに対して送信された干渉除去情報を受信することを更に含み、
前記ＵＥは前記干渉除去指示メッセージに基づいて、コンポーネントキャリアに対してＮＡＩＣＳを行うことは、
前記ＵＥは、前記干渉除去指示メッセージと、前記基地局によって送信された前記干渉除去情報及び前記ＵＥが前記干渉除去指示メッセージには含まれたコンポーネントキャリアの識別子に対応するコンポーネントキャリアに対してブラインド検出して得られた干渉除去情報に基づいて、前記干渉除去指示メッセージには含まれたコンポーネントキャリアの識別子に対応するコンポーネントキャリアに対してＮＡＩＣＳを行うことを含む、前記方法。
【請求項２】
前記ＵＥは基地局によって送信された干渉除去指示メッセージを受信する前に、該方法は、
前記ＵＥは、前記基地局によって送信された干渉測定通知を受信し、且つ該干渉測定通知に基づいて各コンポーネントキャリアに対して干渉測定を行い、測定結果に基づいて目標コンポーネントキャリアを選択し、且つ前記基地局に目標コンポーネントキャリアの情報を報告することを更に含む
請求項１に記載の方法。
【請求項３】
前記測定結果に基づいて目標コンポーネントキャリアを選択することは、
各コンポーネントキャリアの干渉が最も強い隣接セルの干渉パラメータ値の大きさに基づいて、所定個数の目標コンポーネントキャリアを選択すること、又は
各コンポーネントキャリアの全ての干渉隣接セルの干渉パラメータ値の総和の大きさに基づいて、所定個数の目標コンポーネントキャリアを選択すること、又は
各コンポーネントキャリアのｍ個の干渉隣接セルの干渉パラメータ値の総和の大きさに基づいて、所定個数の目標コンポーネントキャリアを選択することを含み、
ｍは、予め定められた、ＵＥがいずれかのコンポーネントキャリアに対して除去できる干渉隣接セルの数である
請求項２に記載の方法。
【請求項４】
前記干渉パラメータは、
参考信号受信電力ＲＳＲＰ、参考信号受信品質ＲＳＲＱ、受信信号の強度指示ＲＳＳＩのうちの１つ以上を含む
請求項３に記載の方法。
【請求項５】
ネットワーク補助式干渉除去と抑制（ＮＡＩＣＳ：Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）の制御方法であって、
基地局は、ユーザ装置ＵＥが報告した、該ＵＥがＮＡＩＣＳを行うときにサポートできるコンポーネントキャリアの個数を受信することと、
前記基地局は、前記ユーザ装置ＵＥが報告した、該ＵＥがＮＡＩＣＳを行うときにサポートできるコンポーネントキャリアの個数に基づいて、前記ＵＥがＮＡＩＣＳを行うときに対応するコンポーネントキャリアの識別子を確定することと、
前記基地局は、前記ＵＥへ干渉除去指示メッセージを送信することと、を含み、
前記コンポーネントキャリアは、該ＵＥに対してキャリアアグリゲーション伝送を行うコンポーネントキャリアに属し、
前記干渉除去指示メッセージは、前記ＵＥがＮＡＩＣＳを行うときに対応するコンポーネントキャリアの識別子を含み、
前記基地局はＵＥへ干渉除去指示メッセージを送信する前に、
前記基地局は、自身が維持する隣接セルのリストにより、前記ＵＥへ干渉測定通知を送信して、前記ＵＥが該干渉測定通知によって各コンポーネントキャリアに対して干渉測定を行うことを指示することと、
前記基地局は、前記ＵＥが報告した目標コンポーネントキャリアを受信することと、を更に含み、
前記目標コンポーネントキャリアは、前記ＵＥが該干渉測定通知に基づいて各コンポーネントキャリアに対して干渉測定を行い、測定結果に基づいて選択され、
前記基地局は、ＵＥがＮＡＩＣＳを行うときに対応するコンポーネントキャリアの識別子を確定することは、
前記基地局は、前記ＵＥによって報告された目標コンポーネントキャリアの情報に基づいて、ＵＥがＮＡＩＣＳを行うときに対応するコンポーネントキャリアの識別子を確定することを含む、前記方法。
【請求項６】
ネットワーク補助式干渉除去と抑制（ＮＡＩＣＳ：Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）装置であって、
基地局によって送信された干渉除去指示メッセージを受信するように構成される第一ユニットと、
前記干渉除去指示メッセージに基づいて、コンポーネントキャリアに対してＮＡＩＣＳを行うように構成される第二ユニットと、を備え
前記干渉除去指示メッセージは、前記基地局によって前記ＮＡＩＣＳを行うときにサポートできるコンポーネントキャリアの個数に基づいて確定された、ＵＥがＮＡＩＣＳを行うときに対応するコンポーネントキャリアの識別子を含み、
前記コンポーネントキャリアは、該ＵＥに対してキャリアアグリゲーション伝送を行うコンポーネントキャリアに属し、
前記第一ユニットは、基地局によって送信された干渉除去指示メッセージを受信する前に、ＮＡＩＣＳを行うときにサポートできるコンポーネントキャリアの個数を前記基地局に報告するように構成され、
前記第一ユニットは、前記基地局によって前記干渉除去指示メッセージに含まれたコンポーネントキャリアの識別子に対応するコンポーネントキャリアに対して送信された干渉除去情報を受信するように構成され、
前記第二ユニットは、具体的に、前記干渉除去指示メッセージと、前記基地局によって送信された前記干渉除去情報及び前記ＵＥが前記干渉除去指示メッセージには含まれたコンポーネントキャリアの識別子に対応するコンポーネントキャリアに対してブラインド検出して得られた干渉除去情報に基づいて、前記干渉除去指示メッセージには含まれたコンポーネントキャリアの識別子に対応するコンポーネントキャリアに対してＮＡＩＣＳを行うように構成される、前記装置。
【請求項７】
前記第一ユニットは、基地局によって送信された干渉除去指示メッセージを受信する前に、前記基地局によって送信された干渉測定通知を受信し、且つ該干渉測定通知に基づいて各コンポーネントキャリアに対して干渉測定を行い、測定結果に基づいて目標コンポーネントキャリアを選択し、且つ前記基地局に目標コンポーネントキャリアの情報を報告するように構成される
請求項６に記載の装置。
【請求項８】
ネットワーク補助式干渉除去と抑制（ＮＡＩＣＳ：Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）の制御装置であって、
ユーザ装置ＵＥによって報告された、該ＵＥがＮＡＩＣＳを行うときにサポートできるコンポーネントキャリアの個数に基づいて、該ＵＥがＮＡＩＣＳを行うときに対応するコンポーネントキャリアの識別子を確定するように構成される確定ユニットと、
前記ＵＥへ干渉除去指示メッセージを送信するように構成される指示ユニットと、を備え、
前記コンポーネントキャリアは、該ＵＥに対してキャリアアグリゲーション伝送を行うコンポーネントキャリアに属し、
前記干渉除去指示メッセージは、前記ＵＥがＮＡＩＣＳを行うときに対応するコンポーネントキャリアの識別子を含み、
前記確定ユニットは、さらに、前記ＵＥが報告した、該ＵＥがＮＡＩＣＳを行うときにサポートできるコンポーネントキャリアの個数を受信するように構成され、
前記確定ユニットは、さらに、自身が維持する隣接セルのリストにより、前記ＵＥへ干渉測定通知を送信して、前記ＵＥが該干渉測定通知によって各コンポーネントキャリアに対して干渉測定を行うことを指示し、前記ＵＥが報告した目標コンポーネントキャリアを受信するように構成され、前記目標コンポーネントキャリアは、前記ＵＥが該干渉測定通知に基づいて各コンポーネントキャリアに対して干渉測定を行い、測定結果に基づいて選択され、
前記確定ユニットは、ＵＥがＮＡＩＣＳを行うときに対応するコンポーネントキャリアの識別子を確定するときに、具体的に、前記ＵＥによって報告された目標コンポーネントキャリアの情報に基づいて、ＵＥがＮＡＩＣＳを行うときに対応するコンポーネントキャリアの識別子を確定するように構成される、前記装置。
【発明の詳細な説明】
【関連出願の相互引用】
【０００１】
本願は、出願日が２０１４年０９月２６日であり、出願番号が２０１４１０５０５３０８．１であり、発明の名称が「ネットワーク補助式干渉除去と抑制方法、その制御方法及び装置」である中国特許出願の優先権を出張し、当該中国特許のすべての内容を本願に引用して参照する。
【技術分野】
【０００２】
本発明は通信技術分野に関し、特にネットワーク補助式干渉除去と抑制（ＮＡＩＣＳ：Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）方法、その制御方法及び装置に関する。
【背景技術】
【０００３】
無線通信技術の急速な発展に伴い、第３世代移動通信システムの標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のリリース１２（Ｒ１２）について、ネットワーク補助式干渉除去と抑制（Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ、以下、ＮＡＩＣＳを略称する）という技術が提案され、その原理について、ユーザ装置（ＵＥ：Ｕｓｅｒ  Ｅｑｕｉｐｍｅｎｔ）に先進的な受信機を設置し、ネットワーク側によって通知された干渉除去情報を利用し、自身のブラインド検出を参照し、干渉を効果的に除去して受信性能を向上させる。
【０００４】
先進的な受信機は、線形の強化の線形最小二乗平均誤差即ち干渉抑制の組合（Ｅ−ＬＭＭＳＥ−ＩＲＣ：Ｅｎｈａｎｃｅｄ  Ｌｉｎｅａｒ  Ｍｉｎｉｍｕｍ  Ｍｅａｎ  Ｓｑｕａｒｅ  Ｅｒｒｏｒ−  Ｉｎｔｅｒｆｅｒｅｎｃｅ  Ｒｅｊｅｃｔｉｏｎ  Ｃｏｍｂｉｎｉｎｇ）、非線形のシンボルレベルの干渉除去（ＩＣ：Ｉｎｔｅｒｆｅｒｅｎｃｅ  Ｃａｎｃｅｌｌａｔｉｏｎ）（ＳＬＩＣ：Ｓｙｍｂｏｌ−ｌｅｖｅｌ  Ｉｎｔｅｒｆｅｒｅｎｃｅ  Ｃａｎｃｅｌｌａｔｉｏｎ）、最尤法（ＭＬ：Ｍａｘｉｍｕｍ  Ｌｉｋｅｌｉｈｏｏｄ）、又は低複雑度ＭＬ（Ｒ−ＭＬ：Ｒｅｄｕｃｅｄ  ｃｏｍｐｌｅｘｉｔｙ  ＭＬ）、コードワードレベルＩＣ（ＣＷＩＣ：Ｃｏｄｅ  ｗｏｒｄ  ｌｅｖｅｌ  ＳＩＣ）などを含む。ここで、Ｅ−ＬＭＭＳＥ−ＩＲＣは、上位層から取得された干渉セルのパイロットコンフィギュレーション及びプリコーディング行列を使用して、干渉チャネルを推定し、更に干渉抑制の合併を行い、受信性能を向上させる。非線形受信機は干渉関連情報を利用し、干渉信号を推定して再構成し、受信信号からそれを除去し、受信性能を大幅に向上させる。
【０００５】
ＵＥが干渉を効果的に除去するために、取得する必要な干渉除去情報は以下の表１のように示される。
【表１】
0006682517.tif 000002
【０００６】
現在、３ＧＰＰ  Ｒｅｌ−１２標準化に対し、上位層シグナリング通知又はＵＥブラインド検出であるこれらの干渉除去情報の取得方式を検討している。上位層シグナリング通知の方式により、ブラインド検出の複雑度を低減し且つ正確性を向上することができるが、ユーザレベルの動的パラメータに対して、上位層シグナリング通知のタイムリー性及びオーバーヘッドが制限され、ブラインド検出が不可欠な方式となる。干渉除去情報の５つのタイプに基づいて、シグナリング設計の原則として下記のように示される。
【０００７】
シグナリングのオーバーヘッドが小さいセルの関連且つ半静的干渉除去情報（干渉セルＩＤ、ＣＲＳポート数、ＭＢＳＦＮフォーマットなど）は上位層シグナリングによってＵＥに通知する。
【０００８】
ＵＥのブラインド検出により、ブラインド検出複雑度を受け入れる可能なユーザ関連動的干渉除去情報（復調次数、ＤＭＲＳポート数など）を取得する。
【０００９】
ブラインド検出複雑度が高いユーザ関連動的干渉除去情報（ＰＡ、ＤＭＲＳ  ＶＣＩＤなど）は、サブセットを設定する方式により、複雑度を低減することができる。
【００１０】
しかしながら、キャリアアグリゲーション（ＣＡ：Ｃａｒｒｉｅｒ  Ａｇｇｒｅｇａｔｉｏｎ）シーンにおいて、ＵＥがキャリアアグリゲーションの全てのコンポーネントキャリア（ＣＣ：Ｃｏｍｐｏｎｅｎｔ  Ｃａｒｒｉｅｒ）に対してＮＡＩＣＳを行う場合、ＵＥの処理複雑度に対して大きな挑戦をさせる。従来技術において、ＣＡとＮＡＩＣＳの結合のシーンに対し、ＵＥの処理複雑度をどのように低減するかという技術案を提案していない。
【発明の概要】
【課題を解決するための手段】
【００１１】
本発明は、ＣＡシーンに対するために、ネットワーク補助式干渉除去と抑制ＮＡＩＣＳ方法、その制御方法、装置を開示し、より多い上位層シグナリングオーバヘッドの必要がない及びＵＥのキャリアアグリゲーション能力を無駄にしない場合、ＵＥがＮＡＩＣＳを行うときに処理の複雑度を低減する。
【００１２】
本発明の実施形態はネットワーク補助式干渉除去と抑制ＮＡＩＣＳ方法を提供し、前記方法は、
ユーザ装置ＵＥは、基地局によって送信された干渉除去指示メッセージを受信することと、
前記ＵＥは前記干渉除去指示メッセージに基づいて、コンポーネントキャリアに対してＮＡＩＣＳを行うことと、を含み、
前記干渉除去指示メッセージは、ＵＥがＮＡＩＣＳを行うときに対応するコンポーネントキャリアの識別子を含み、
前記コンポーネントキャリアの識別子は、該ＵＥに対してキャリアアグリゲーション伝送を行うコンポーネントキャリアに属する。
【００１３】
該方法により、ＵＥは基地局によって送信された干渉除去指示メッセージに基づいて、コンポーネントキャリアに対してＮＡＩＣＳを行い、該干渉除去指示メッセージには、ＵＥがＮＡＩＣＳを行うときに対応するコンポーネントキャリアの識別子が含まれるので、ＵＥがコンポーネントキャリアに対して対応的にＮＡＩＣＳを行うことができ、必ずしも全てのコンポーネントキャリアに対してＮＡＩＣＳを行う必要がない。従って、ＣＡシーンに対し、より多い上位層シグナリングオーバヘッドの必要がなくＵＥのキャリアアグリゲーション能力を無駄にせず、ＵＥがＮＡＩＣＳを行うときに処理の複雑度を低減する。
【００１４】
好ましくは、前記ＵＥは基地局によって送信された干渉除去指示メッセージを受信する前に、該方法は、
前記ＵＥは、ＮＡＩＣＳを行うときにサポートできるコンポーネントキャリアの個数を前記基地局に報告することを更に含む。
【００１５】
好ましくは、前記ＵＥは基地局によって送信された干渉除去指示メッセージを受信する前に、該方法は、
前記ＵＥは、前記基地局によって送信された干渉測定通知を受信し、且つ該干渉測定通知に基づいて各コンポーネントキャリアに対して干渉測定を行い、測定結果に基づいて目標コンポーネントキャリアを選択し、且つ前記基地局に目標コンポーネントキャリアの情報を報告することを更に含む。
【００１６】
ここで、前記目標コンポーネントキャリアの情報は、目標コンポーネントキャリアの識別子だけではなく、コンポーネントキャリアの識別子に対応する候補優先順位を含めてよい。前記候補優先順位は、基地局が、送信した干渉除去指示メッセージには含まれたコンポーネントキャリアの識別子を確定するように指示するためである。
【００１７】
前記ＵＥはコンポーネントキャリアの候補優先順位を確定するときに、干渉測定の測定結果により確定してよく、例えば、受けられた干渉が強から弱までの順位によりコンポーネントキャリアの候補優先順位を確定してよく、最も強い干渉を受けたコンポーネントキャリアの候補優先順位が最も高く、最も弱い干渉を受けたコンポーネントキャリアの候補優先順位が最も低い。
【００１８】
好ましくは、測定結果に基づいて目標コンポーネントキャリアを選択することは、
各コンポーネントキャリアの干渉が最も強い隣接セルの干渉パラメータ値の大きさに基づいて、所定個数の目標コンポーネントキャリアを選択すること、又は
各コンポーネントキャリアの全ての干渉隣接セルの干渉パラメータ値の総和の大きさに基づいて、所定個数の目標コンポーネントキャリアを選択すること、又は
各コンポーネントキャリアのｍ個の干渉隣接セルの干渉パラメータ値の総和の大きさに基づいて、所定個数の目標コンポーネントキャリアを選択し、ｍは、予め定められた、ＵＥがいずれかのコンポーネントキャリアに対して除去できる干渉隣接セルの数であること、を含む。
【００１９】
好ましくは、前記干渉パラメータは、
参照信号受信電力ＲＳＲＰ、参照信号受信品質ＲＳＲＱ、受信信号の強度指示ＲＳＳＩのうちの１つ以上を含む。
【００２０】
好ましくは、前記目標コンポーネントキャリアにはプライマリセルＰｃｅｌｌに対応するコンポーネントキャリアが含まれる。
【００２１】
好ましくは、前記ＵＥが報告した目標コンポーネントキャリアの情報は、目標コンポーネントキャリアの識別子及びその候補優先順位を含む。
【００２２】
好ましくは、該方法は、前記ＵＥが、前記基地局によって前記干渉除去指示メッセージに含まれたコンポーネントキャリアの識別子に対応するコンポーネントキャリアに対して送信された干渉除去情報を受信することを更に含み、
前記ＵＥは前記干渉除去指示メッセージに基づいて、コンポーネントキャリアに対してＮＡＩＣＳを行うことは、
前記ＵＥは、前記干渉除去指示メッセージと、前記基地局によって送信された前記干渉除去情報及び前記ＵＥが前記干渉除去指示メッセージには含まれたコンポーネントキャリアの識別子に対応するコンポーネントキャリアに対してブラインド検出して得られた干渉除去情報に基づいて、前記干渉除去指示メッセージには含まれたコンポーネントキャリアの識別子に対応するコンポーネントキャリアに対してＮＡＩＣＳを行うことを含む。
【００２３】
本発明の実施形態はネットワーク補助式干渉除去と抑制ＮＡＩＣＳの制御方法を提供し、
基地局は、ユーザ装置ＵＥがＮＡＩＣＳを行うときに対応するコンポーネントキャリアの識別子を確定することと、
前記基地局は、前記ＵＥへ干渉除去指示メッセージを送信することと、を含み、
前記コンポーネントキャリアは、該ＵＥに対してキャリアアグリゲーション伝送を行うコンポーネントキャリアに属し、
前記干渉除去指示メッセージは、前記ＵＥがＮＡＩＣＳを行うときに対応するコンポーネントキャリアの識別子を含む。
【００２４】
該方法により、基地局が干渉除去メッセージをＵＥに送信し、ＵＥは基地局によって送信された干渉除去指示メッセージに基づいて、コンポーネントキャリアに対してＮＡＩＣＳを行い、該干渉除去指示メッセージには、ＵＥがＮＡＩＣＳを行うときに対応するコンポーネントキャリアの識別子が含まれるので、ＵＥがコンポーネントキャリアに対して対応的にＮＡＩＣＳを行うことができ、必ずしも全てのコンポーネントキャリアに対してＮＡＩＣＳを行う必要がない。従って、ＣＡシーンに対し、より多い上位層シグナリングオーバヘッドの必要がなくＵＥのキャリアアグリゲーション能力を無駄にせず、ＵＥがＮＡＩＣＳを行うときに処理の複雑度を低減する。
【００２５】
好ましくは、前記基地局はＵＥへ干渉除去指示メッセージを送信する前に、該方法は、
前記基地局は、前記ＵＥが報告した、該ＵＥがＮＡＩＣＳを行うときにサポートできるコンポーネントキャリアの個数を受信することを含み、
前記基地局はＵＥがＮＡＩＣＳを行うときに対応するコンポーネントキャリアの識別子を確定することは、
前記基地局は、前記ＵＥによって報告された、該ＵＥがＮＡＩＣＳを行うときにサポートできるコンポーネントキャリアの個数に基づいて、ＵＥがＮＡＩＣＳを行うときに対応するコンポーネントキャリアの識別子を確定することを含む。
【００２６】
好ましくは、前記基地局はＵＥへ干渉除去指示メッセージを送信する前に、該方法は、
前記基地局は、自身が維持する隣接セルのリストにより、前記ＵＥへ干渉測定通知を送信し、前記ＵＥが該干渉測定通知によって各コンポーネントキャリアに対して干渉測定を行うように指示することと、
前記基地局は、前記ＵＥが報告した目標コンポーネントキャリアを受信することと、を更に含み、
前記目標コンポーネントキャリアは、前記ＵＥが該干渉測定通知に基づいて各コンポーネントキャリアに対して干渉測定を行い、測定結果に基づいて選択され、
前記基地局は、ＵＥがＮＡＩＣＳを行うときに対応するコンポーネントキャリアの識別子を確定することは、
前記基地局は、前記ＵＥによって報告された目標コンポーネントキャリアの情報に基づいて、ＵＥがＮＡＩＣＳを行うときに対応するコンポーネントキャリアの識別子を確定することを含む。
【００２７】
好ましくは、前記干渉除去指示メッセージに含まれたコンポーネントキャリアの識別子は、プライマリセルＰｃｅｌｌに対応するコンポーネントキャリアの識別子を含む。
【００２８】
好ましくは、前記ＵＥが報告した目標コンポーネントキャリアの情報は、目標コンポーネントキャリアの識別子及びその候補優先順位を含み、
前記基地局は、前記ＵＥによって報告された目標コンポーネントキャリアの情報に基づいて、前記ＵＥがＮＡＩＣＳを行うときに対応するコンポーネントキャリアの識別子を確定することは、
前記基地局は、前記ＵＥによって報告された目標コンポーネントキャリアの候補優先順位に基づいて、コンポーネントキャリアを選択し、且つ選択されたコンポーネントキャリアに対応する識別子を、前記ＵＥがＮＡＩＣＳを行うときに対応するコンポーネントキャリアの識別子に確定することを含む。
【００２９】
好ましくは、前記基地局は、前記ＵＥによって報告された目標コンポーネントキャリアの候補優先順位に基づいて、コンポーネントキャリアを選択することは、
前記基地局は、前記ＵＥによって報告された目標コンポーネントキャリアの候補優先順位に基づいて、メディアアクセス制御ＭＡＣ層によってディアクティブ（deactivate）されないコンポーネントキャリアを選択することを含む。
【００３０】
本発明の実施形態はネットワーク補助式干渉除去と抑制ＮＡＩＣＳ装置を提供し、前記装置は、
基地局によって送信された干渉除去指示メッセージを受信するように構成される第一ユニットと、
前記干渉除去指示メッセージに基づいて、コンポーネントキャリアに対してＮＡＩＣＳを行うように構成される第二ユニットと、を備え、
前記干渉除去指示メッセージは、ＵＥがＮＡＩＣＳを行うときに対応するコンポーネントキャリアの識別子を含み、
前記コンポーネントキャリアは、該ＵＥに対してキャリアアグリゲーション伝送を行うコンポーネントキャリアに属する。
【００３１】
好ましくは、前記第一ユニットは、基地局によって送信された干渉除去指示メッセージを受信する前に、ＮＡＩＣＳを行うときにサポートできるコンポーネントキャリアの個数を前記基地局に報告するように構成される。
【００３２】
好ましくは、前記第一ユニットは、基地局によって送信された干渉除去指示メッセージを受信する前に、前記基地局によって送信された干渉測定通知を受信し、且つ該干渉測定通知に基づいて各コンポーネントキャリアに対して干渉測定を行い、測定結果に基づいて目標コンポーネントキャリアを選択し、且つ前記基地局に目標コンポーネントキャリアの情報を報告するように構成される。
【００３３】
好ましくは、前記第一ユニットは、測定結果に基づいて目標コンポーネントキャリアを選択するときに、具体的に、
各コンポーネントキャリアの干渉が最も強い隣接セルの干渉パラメータ値の大きさに基づいて、所定個数の目標コンポーネントキャリアを選択し、又は
各コンポーネントキャリアの全ての干渉隣接セルの干渉パラメータ値の総和の大きさに基づいて、所定個数の目標コンポーネントキャリアを選択し、又は
各コンポーネントキャリアのｍ個の干渉隣接セルの干渉パラメータ値の総和の大きさに基づいて、所定個数の目標コンポーネントキャリアを選択するように構成され、ｍは、予め定められた、ＵＥがいずれかのコンポーネントキャリアに対して除去できる干渉隣接セルの数である。
【００３４】
好ましくは、前記干渉パラメータは、
参照信号受信電力ＲＳＲＰ、参照信号受信品質ＲＳＲＱ、受信信号の強度指示ＲＳＳＩのうちの１つ以上を含む。
【００３５】
好ましくは、前記目標コンポーネントキャリアにはプライマリセルＰｃｅｌｌに対応するコンポーネントキャリアが含まれる。
【００３６】
好ましくは、前記目標コンポーネントキャリアの情報は、目標コンポーネントキャリアの識別子及びその候補優先順位を含む。
【００３７】
好ましくは、前記第一ユニットは、前記基地局によって前記干渉除去指示メッセージに含まれたコンポーネントキャリアの識別子に対応するコンポーネントキャリアに対して送信された干渉除去情報を受信するように構成され、
前記第二ユニットは、具体的に、前記干渉除去指示メッセージと、前記基地局によって送信された前記干渉除去情報及び前記ＵＥが前記干渉除去指示メッセージには含まれたコンポーネントキャリアの識別子に対応するコンポーネントキャリアに対してブラインド検出して得られた干渉除去情報に基づいて、前記干渉除去指示メッセージには含まれたコンポーネントキャリアの識別子に対応するコンポーネントキャリアに対してＮＡＩＣＳを行うように構成される。
【００３８】
本発明の実施形態はネットワーク補助式干渉除去と抑制ＮＡＩＣＳの制御装置を提供し、
ユーザ装置ＵＥがＮＡＩＣＳを行うときに対応するコンポーネントキャリアの識別子を確定するように構成される確定ユニットと、
前記ＵＥへ干渉除去指示メッセージを送信するように構成される指示ユニットと、を備え、
前記コンポーネントキャリアは、該ＵＥに対してキャリアアグリゲーション伝送を行うコンポーネントキャリアに属し、
前記干渉除去指示メッセージは、前記ＵＥがＮＡＩＣＳを行うときに対応するコンポーネントキャリアの識別子を含む。
【００３９】
好ましくは、前記確定ユニットは、前記ＵＥが報告した、該ＵＥがＮＡＩＣＳを行うときにサポートできるコンポーネントキャリアの個数を受信するように構成され、
前記確定ユニットはＵＥがＮＡＩＣＳを行うときに対応するコンポーネントキャリアの識別子を確定するときに、具体的に、前記ＵＥによって報告された、該ＵＥがＮＡＩＣＳを行うときにサポートできるコンポーネントキャリアの個数に基づいて、ＵＥがＮＡＩＣＳを行うときに対応するコンポーネントキャリアの識別子を確定するように構成される。
【００４０】
好ましくは、前記確定ユニットは、自身が維持する隣接セルのリストにより、前記ＵＥへ干渉測定通知を送信して、前記ＵＥが該干渉測定通知によって各コンポーネントキャリアに対して干渉測定を行うことを指示し、前記ＵＥが報告した目標コンポーネントキャリアを受信するように構成され、前記目標コンポーネントキャリアは、前記ＵＥが該干渉測定通知に基づいて各コンポーネントキャリアに対して干渉測定を行い、測定結果に基づいて選択され、
前記確定ユニットは、ＵＥがＮＡＩＣＳを行うときに対応するコンポーネントキャリアの識別子を確定するときに、具体的に、前記ＵＥによって報告された目標コンポーネントキャリアの情報に基づいて、ＵＥがＮＡＩＣＳを行うときに対応するコンポーネントキャリアの識別子を確定するように構成される。
【００４１】
好ましくは、前記干渉除去指示メッセージに含まれたコンポーネントキャリアの識別子は、プライマリセルＰｃｅｌｌに対応するコンポーネントキャリアの識別子を含む。
【００４２】
好ましくは、前記ＵＥが報告した目標コンポーネントキャリアの情報は、目標コンポーネントキャリアの識別子及びその候補優先順位を含み、
前記確定ユニットは、前記ＵＥによって報告された目標コンポーネントキャリアの情報に基づいて、前記ＵＥがＮＡＩＣＳを行うときに対応するコンポーネントキャリアの識別子を確定するときに、具体的に、
前記ＵＥによって報告された目標コンポーネントキャリアの候補優先順位に基づいて、コンポーネントキャリアを選択し、且つ選択されたコンポーネントキャリアに対応する識別子を、前記ＵＥがＮＡＩＣＳを行うときに対応するコンポーネントキャリアの識別子に確定するように構成される。
【００４３】
好ましくは、前記確定ユニットは、前記ＵＥによって報告された目標コンポーネントキャリアの候補優先順位に基づいて、コンポーネントキャリアを選択するときに、具体的に、
前記ＵＥによって報告された目標コンポーネントキャリアの候補優先順位に基づいて、メディアアクセス制御ＭＡＣ層によってディアクティブされないコンポーネントキャリアを選択するように構成される。
【図面の簡単な説明】
【００４４】
【図１】本発明の実施形態におけるＵＥ側でのＮＡＩＣＳ方法のフローチャートである。
【図２】本発明の実施形態におけるネットワーク側でのＮＡＩＣＳの制御方法のフローチャートである。
【図３】本発明の実施形態におけるＵＥ側とネットワーク側がＮＡＩＣＳを共同に実現するフローチャートである。
【図４】本発明の実施形態におけるＵＥ側でのＮＡＩＣＳ装置の構成図である。
【図５】本発明の実施形態におけるネットワーク側でのＮＡＩＣＳの制御装置の構成図である。
【発明を実施するための形態】
【００４５】
本発明の実施形態はネットワーク補助式干渉除去と抑制ＮＡＩＣＳ方法、その制御方法及び装置を開示し、ＣＡシーンに対し、より多い上位層シグナリングオーバヘッドの必要がなく、ＵＥのキャリアアグリゲーション能力を無駄にせず、ＵＥがＮＡＩＣＳを行うときに処理の複雑度を低減する。
【００４６】
ＣＡとＮＡＩＣＳの結合のシーンに対し、以下の２つの技術案を容易に想到する。
【００４７】
技術案一：ネットワーク側は、ＵＥのＮＡＩＣＳ能力に関わらず、ＵＥがサポートできる全てのＣＣに対し、ＮＡＩＣＳの必要な上位層シグナリングを送信する。ＵＥが自身のＮＡＩＣＳ能力により、対応のＣＣを選択してＮＡＩＣＳを行う。即ち、ネットワーク側はどのＣＣがＮＡＩＣＳを行うかを知る必要はない。
【００４８】
ここで、前記ＵＥのＮＡＩＣＳ能力は、具体的に、ＵＥがＮＡＩＣＳを行うときに、サポートできるＣＣ又はｂａｎｄの個数を指す。
【００４９】
この技術案は、ＮＡＩＣＳできないＣＣにも上位層シグナリングを送信するので、上位層シグナリングのオーバーヘッドが無駄にすることを引き起こす。
【００５０】
技術案二：ネットワーク側はＵＥのＮＡＩＣＳ能力により、該ＵＥに対応する個数のＣＣを割り当てキャリアアグリゲーションを行う。
【００５１】
この技術案は、ＵＥに提供したキャリアアグリゲーション伝送のＣＣの個数を限定し、ＵＥのキャリアアグリゲーション能力を無駄にする。
【００５２】
以下、図面を参照し、本発明の実施形態における改良された技術案を説明する。
【００５３】
図１に示すように、本発明の実施形態はネットワーク補助式干渉除去と抑制ＮＡＩＣＳ方法を提供し、以下のステップを含む。
【００５４】
Ｓ１０１：ユーザ装置ＵＥは、基地局によって送信された干渉除去指示メッセージを受信し、前記干渉除去指示メッセージは、ＵＥがＮＡＩＣＳを行うときに対応するコンポーネントキャリアの識別子を含み、前記コンポーネントキャリアの識別子は、該ＵＥに対してキャリアアグリゲーション伝送を行うコンポーネントキャリアに属する。
【００５５】
該干渉除去指示メッセージにはＵＥがＮＡＩＣＳを行うときに対応するコンポーネントキャリアの識別子が含まれるので、ＵＥが対象となるコンポーネントキャリアに対してＮＡＩＣＳを行うことができ、全てのコンポーネントキャリアに対してＮＡＩＣＳを行う必要がない。
【００５６】
前記基地局は、進化型の基地局（ｅＮＢ：Ｅｖｏｌｖｅｄ  ＮｏｄｅＢ）であってよい。
【００５７】
Ｓ１０２：前記ＵＥは前記干渉除去指示メッセージに基づいて、コンポーネントキャリアに対してＮＡＩＣＳを行う。
【００５８】
該方法により、ＵＥは基地局によって送信された干渉除去指示メッセージに基づいて、コンポーネントキャリアに対してＮＡＩＣＳを行うので、前記の技術案一及び技術案二に比べて、ＣＡシーンに対し、より多い上位層シグナリングオーバヘッドの必要がなくＵＥのキャリアアグリゲーション能力を無駄にせず、ＵＥがＮＡＩＣＳを行うときに処理の複雑度を低減する。
【００５９】
好ましくは、前記ＵＥは基地局によって送信された干渉除去指示メッセージを受信する前に、該方法は、
前記ＵＥは、ＮＡＩＣＳを行うときにサポートできるコンポーネントキャリアの個数を前記基地局に報告することを更に含む。即ち、ＵＥは自身のＮＡＩＣＳ能力を基地局に報告し、基地局が該ＵＥのＮＡＩＣＳ能力を知ってる場合、ＵＥによって報告される必要がない。
【００６０】
好ましくは、前記ＵＥは基地局によって送信された干渉除去指示メッセージを受信する前に、該方法は、
前記ＵＥは、前記基地局によって送信された干渉測定通知を受信し、且つ該干渉測定通知に基づいて各コンポーネントキャリアに対して干渉測定を行い、測定結果に基づいて目標コンポーネントキャリアを選択し、且つ前記基地局に目標コンポーネントキャリアの情報を報告することを更に含む。即ち、基地局が参照するために、ＵＥが、自身によって測定し選択された一つ又は複数のコンポーネントキャリアを基地局に報告することで、基地局はＵＥから報告されたコンポーネントキャリアからコンポーネントキャリアを選択し、且つＵＥが選択された該コンポーネントキャリアに対してＮＡＩＣＳを行うことを指示する。
【００６１】
好ましくは、測定結果に基づいて目標コンポーネントキャリアを選択することは、
各コンポーネントキャリアの干渉が最も強い隣接セルの干渉パラメータ値の大きさに基づいて、所定個数の目標コンポーネントキャリアを選択すること、又は、
各コンポーネントキャリアの全ての干渉隣接セルの干渉パラメータ値の総和の大きさに基づいて、所定個数の目標コンポーネントキャリアを選択すること、又は、
各コンポーネントキャリアのｍ個の干渉隣接セルの干渉パラメータ値の総和の大きさに基づいて、所定個数の目標コンポーネントキャリアを選択し、ｍは、予め定められた、ＵＥがいずれかのコンポーネントキャリアに対して除去できる干渉隣接セルの数であることと、を含む。
【００６２】
例えば、ＵＥは上記三つの方式を採用して、干渉が最も強いＭ個のＣＣ識別子を報告する。
【００６３】
好ましくは、前記干渉パラメータは、
参照信号受信電力（ＲＳＲＰ：Ｒｅｆｅｒｅｎｃｅ  ｓｉｇｎａｌ  ｒｅｃｅｉｖｅｄ  ｐｏｗｅｒ）、参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、受信信号の強度指示（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）のうちの１つ以上を含む。
【００６４】
Ｐｃｅｌｌの重要度を考えると、好ましくは、前記目標コンポーネントキャリアにはプライマリセルＰｃｅｌｌに対応するコンポーネントキャリアが含まれる。
【００６５】
好ましくは、該方法は、前記ＵＥが、前記基地局によって前記干渉除去指示メッセージに含まれたコンポーネントキャリアの識別子に対応するコンポーネントキャリアに対して送信された干渉除去情報を受信することを更に含み。
【００６６】
ここで、前記基地局によって前記干渉除去指示メッセージに含まれたコンポーネントキャリアの識別子に対応するコンポーネントキャリアに対して送信された干渉除去情報は、基地局によって送信された干渉除去指示メッセージに含まれてもよいし、基地局によって単独に送信されてもよい。
【００６７】
そして、前記ＵＥは前記干渉除去指示メッセージに基づいて、コンポーネントキャリアに対してＮＡＩＣＳを行うことは、
前記ＵＥは、前記干渉除去指示メッセージと、前記基地局によって送信された前記干渉除去情報及び前記ＵＥが前記干渉除去指示メッセージには含まれたコンポーネントキャリアの識別子に対応するコンポーネントキャリアに対してブラインド検出して得られた干渉除去情報に基づいて、前記干渉除去指示メッセージには含まれたコンポーネントキャリアの識別子に対応するコンポーネントキャリアに対してＮＡＩＣＳを行うことを含む。
【００６８】
対応的に、図２を参照し、本発明の実施形態は、ネットワーク側でのネットワーク補助式干渉除去と抑制ＮＡＩＣＳの制御方法を提供し、以下のステップを含む。
【００６９】
Ｓ２０１：基地局は、ユーザ装置ＵＥがＮＡＩＣＳを行うとき対応するコンポーネントキャリアの識別子を確定し、前記コンポーネントキャリアは、該ＵＥに対してキャリアアグリゲーション伝送を行うコンポーネントキャリアに属する。
【００７０】
前記基地局はｅＮＢであってよい。
【００７１】
Ｓ２０２：前記基地局は、前記ＵＥへ干渉除去指示メッセージを送信し、前記干渉除去指示メッセージは、前記ＵＥがＮＡＩＣＳを行うときに対応するコンポーネントキャリアの識別子を含む。
【００７２】
該制御方法により、基地局はＵＥに干渉除去指示メッセージを送信するので、ＵＥが該干渉除去指示メッセージに基づいて、コンポーネントキャリアに対してＮＡＩＣＳを行い、該干渉除去指示メッセージには、ＵＥがＮＡＩＣＳを行うときに対応するコンポーネントキャリアの識別子が含まれるので、ＵＥが対象になるコンポーネントキャリアに対してＮＡＩＣＳを行うことができ、全てのコンポーネントキャリアに対してＮＡＩＣＳを行う必要がない。従って、ＣＡシーンに対し、より多い上位層シグナリングオーバヘッドの必要がなくＵＥのキャリアアグリゲーション能力を無駄にせず、ＵＥがＮＡＩＣＳ処理を行う複雑度を低減する。
【００７３】
好ましくは、前記基地局はＵＥへ干渉除去指示メッセージを送信する前に、該方法は、
前記基地局は、前記ＵＥが報告した、該ＵＥがＮＡＩＣＳを行うときにサポートできるコンポーネントキャリアの個数を受信することを含み、
前記基地局はＵＥがＮＡＩＣＳを行うときに対応するコンポーネントキャリアの識別子を確定することは、
前記基地局は、前記ＵＥによって報告された、該ＵＥがＮＡＩＣＳを行うときにサポートできるコンポーネントキャリアの個数に基づいて、ＵＥがＮＡＩＣＳを行うときに対応するコンポーネントキャリアの識別子を確定することを含む。
【００７４】
即ち、基地局はＵＥのＮＡＩＣＳ能力に応じて、ＵＥがＮＡＩＣＳを行うときに対応するコンポーネントキャリアの識別子を確定する必要があり、ＵＥのＮＡＩＣＳ能力について、ネットワーク側とＵＥ側で予めに決定されても良く、あるいは後でＵＥによって基地局に報告されてもよい。ＵＥのＮＡＩＣＳ能力が更新されても、ＵＥによって更新されたＮＡＩＣＳ能力を基地局に報告することができる。
【００７５】
好ましくは、前記基地局はＵＥへ干渉除去指示メッセージを送信する前に、該方法は、
前記基地局は、自身が維持する隣接セルのリストにより、前記ＵＥへ干渉測定通知（具体的に、このステップは従来技術を採用してよい）を送信して、前記ＵＥが該干渉測定通知に基づいて各コンポーネントキャリアに対して干渉測定を行うことを指示することと、
前記基地局は、前記ＵＥが報告した目標コンポーネントキャリアを受信し、ここで、前記目標コンポーネントキャリアは、前記ＵＥが該干渉測定通知に基づいて各コンポーネントキャリアに対して干渉測定を行い、測定結果に基づいて選択されたコンポーネントであることと、を更に含み、
前記基地局は、ＵＥがＮＡＩＣＳを行うときに対応するコンポーネントキャリアの識別子を確定することは、
前記基地局は、前記ＵＥによって報告された目標コンポーネントキャリアの情報に基づいて、ＵＥがＮＡＩＣＳを行うときに対応するコンポーネントキャリアの識別子を確定することを含む。
【００７６】
ここで、前記基地局は、自身が維持する隣接セルのリストにより、前記ＵＥへ干渉測定通知を送信することについて、具体的に、下記のように説明する。
【００７７】
測定開始のトリガー：
１つはトリガー式であって、基地局はＵＥに測定閾値を割り当て、条件に満足すれば、自身が維持する隣接セルのリストにより、前記ＵＥへ干渉測定通知を送信する。
【００７８】
他は周期性的なトリガーであってよく、即ち、所定の周期に基づいて、自身が維持する隣接セルのリストにより、前記ＵＥへ干渉測定通知を送信する。
【００７９】
基地局が自身によって維持された隣接セルのリストにより、前記ＵＥへ送信した干渉測定通知は測定周波数と該セルリストなどの測定情報を含む。
【００８０】
ＵＥは該通知によって隣接セルに対してパイロット信号強度値の測定などの操作を行う必要がある。
【００８１】
好ましくは、前記干渉除去指示メッセージに含まれたコンポーネントキャリアの識別子は、プライマリセルＰｃｅｌｌに対応するコンポーネントキャリアの識別子を含む。
【００８２】
好ましくは、前記ＵＥが報告した目標コンポーネントキャリアの情報は、目標コンポーネントキャリアの識別子及びその候補優先順位を含み、
前記基地局は、前記ＵＥによって報告された目標コンポーネントキャリアの情報に基づいて、前記ＵＥがＮＡＩＣＳを行うときに対応するコンポーネントキャリアの識別子を確定することは、
前記基地局は、前記ＵＥによって報告された目標コンポーネントキャリアの候補優先順位に基づいて、コンポーネントキャリアを選択し、且つ選択されたコンポーネントキャリアに対応する識別子を、前記ＵＥがＮＡＩＣＳを行うときに対応するコンポーネントキャリアの識別子に確定することを含む。
【００８３】
例えば、ＵＥが基地局に目標コンポーネントキャリアに関するリストを報告してよく、その中に、目標コンポーネントキャリアの識別子と候補優先順位の関係を含み、基地局が選択するために、該リストにおけるコンポーネントキャリアの識別子を高い候補優先順位の順に排列してよく、基地局がコンポーネントキャリアを選択するとき、高い候補優先順位から直接に選択する。
【００８４】
好ましくは、前記基地局は、前記ＵＥによって報告された目標コンポーネントキャリアの候補優先順位に基づいて、コンポーネントキャリアを選択することは、
前記基地局は、前記ＵＥによって報告された目標コンポーネントキャリアの候補優先順位に基づいて、メディアアクセス制御ＭＡＣ層によってディアクティブされないコンポーネントキャリアを選択することを含む。即ち、ＵＥによって報告された目標コンポーネントキャリアのうちのＣＣがＭＡＣ層によってディアクティブされた場合、基地局は次の低い候補優先順位のＣＣを選択してＵＥがＮＡＩＣＳを行うときに対応するＣＣとしてよい。
【００８５】
以下、具体的な実施例を挙げて説明する。
【００８６】
図３に示すように、本発明の実施形態は、ＮＡＩＣＳを実現するためのプロセスを提供し、以下のステップを含む。
【００８７】
Ｓ３０１：ＵＥは、ＮＡＩＣＳを行うときにサポートできるＣＣの個数Ｎを報告する。
【００８８】
ここで、Ｎは、ＵＥがサポートできるコンポーネントキャリアのＣＣの個数より小さい又は等しい。
【００８９】
ＵＥとネットワーク側との間に、Ｎがデフォルト値があれば、該ステップＳ３０１を省略してよい。
【００９０】
Ｓ３０２：ｅＮＢは、自身によって維持された隣接セルのリストにより、ＵＥに対応の干渉測定を行うことを通知する。
【００９１】
Ｓ３０３：ＵＥは干渉が最も強いＭ個のＣＣの識別子を報告する。
【００９２】
複数のＣＣに対し、以下の１つの方式により干渉強度を判断してよい。
【００９３】
干渉が最も強い隣接セルのＲＳＲＰ／ＲＳＲＱ／ＲＳＳＩの大きさを比較し、又は、
隣接リストにおける全ての干渉隣接セルのＲＳＲＰ／ＲＳＲＱ／ＲＳＳＩの総和の大きさを比較し、又は、
ＵＥが除去できる干渉隣接の個数ｍに基づいて、最強のｍ個の干渉セルのＲＳＲＰ／ＲＳＲＱ／ＲＳＳＩの総和を比較する。
【００９４】
Ｐｃｅｌｌの重要度を考えると、上記干渉強度の判断結果により選択されたＣＣに加え、Ｐｃｅｌｌに対応するメインキャリアを報告する。
【００９５】
又は、干渉強度により直接に選択してよく、Ｐｃｅｌｌの干渉が小さい場合、Ｐｃｅｌｌに対応するメインキャリアを報告しなくてもよい。
【００９６】
ここで、Ｍ＞＝Ｎであり、Ｍ個のＣＣの干渉強度を排列し、排列結果を報告する。
【００９７】
Ｓ３０４：ｅＮＢはＵＥによって報告されたＭ個のＣＣの識別子により、ＵＥにＮＡＣＩＳを行うためのＣＣ識別子を通知する。
【００９８】
Ｐｃｅｌｌの重要度を考えると、通知の内容には少なくともＰｃｅｌｌが含まれる。
【００９９】
又は、ＵＥによって報告されたＭ個のＣＣ識別子のみからＮＡＣＩＳを行うためのＣＣ識別子を選択してよい。
【０１００】
ＵＥがＭ個のＣＣの排列結果を報告することに対し、あるＣＣがＭＡＣ層によってディアクティブされた場合、排列結果から次のＣＣを順番に選択してＮＡＩＣＳを行うことができる。
【０１０１】
最後、ｅＮＢは、ＵＥにＮＡＣＩＳを行うためのＣＣに対応する干渉除去情報を通知し、且つＵＥがＮＡＣＩＳを行うためのＣＣに対し、干渉除去メッセージのブラインド検出を行い、ＵＥは、ｅＮＢによって通知された干渉除去情報と自身によってブラインド検出された干渉除去情報を結合し、ｅＮＢによって通知されたＣＣ識別子に対応するＣＣに対してＮＡＩＣＳを行う。
【０１０２】
図４に示すように、本発明の実施形態は、ＵＥ側でのネットワーク補助式干渉除去と抑制ＮＡＩＣＳ装置を提供し、前記装置は、
基地局によって送信された干渉除去指示メッセージを受信するように構成される第一ユニット１１と、
前記干渉除去指示メッセージに基づいて、コンポーネントキャリアに対してＮＡＩＣＳを行うように構成される第二ユニット１２と、を備え、
前記干渉除去指示メッセージは、コンポーネントキャリアの識別子を含み、前記コンポーネントキャリアは、該ＵＥに対してキャリアアグリゲーション伝送を行うコンポーネントキャリアに属する。
【０１０３】
好ましくは、前記第一ユニットは、基地局によって送信された干渉除去指示メッセージを受信する前に、ＮＡＩＣＳを行うときにサポートできるコンポーネントキャリアの個数を前記基地局に報告するように構成される。
【０１０４】
好ましくは、前記第一ユニットは、基地局によって送信された干渉除去指示メッセージを受信する前に、前記基地局によって送信された干渉測定通知を受信し、且つ該干渉測定通知に基づいて各コンポーネントキャリアに対して干渉測定を行い、測定結果に基づいて目標コンポーネントキャリアを選択し、且つ前記基地局に目標コンポーネントキャリアの情報を報告するように構成される。
【０１０５】
好ましくは、前記第一ユニットは、測定結果に基づいて目標コンポーネントキャリアを選択するときに、具体的に、
各コンポーネントキャリアの干渉が最も強い隣接セルの干渉パラメータ値の大きさに基づいて、所定個数の目標コンポーネントキャリアを選択し、又は
各コンポーネントキャリアの全ての干渉隣接セルの干渉パラメータ値の総和の大きさに基づいて、所定個数の目標コンポーネントキャリアを選択し、又は
各コンポーネントキャリアのｍ個の干渉隣接セルの干渉パラメータ値の総和の大きさに基づいて、所定個数の目標コンポーネントキャリアを選択するように構成され、ｍは、予め定められた、ＵＥがいずれかのコンポーネントキャリアに対して除去できる干渉隣接セルの数である。
【０１０６】
好ましくは、前記干渉パラメータは、
参照信号受信電力ＲＳＲＰ、参照信号受信品質ＲＳＲＱ、受信信号の強度指示ＲＳＳＩのうちの１つ以上を含む。
【０１０７】
好ましくは、前記目標コンポーネントキャリアにはプライマリセルＰｃｅｌｌに対応するコンポーネントキャリアが含まれる。
【０１０８】
好ましくは、前記第一ユニットは、前記基地局によって前記干渉除去指示メッセージに含まれたコンポーネントキャリアの識別子に対応するコンポーネントキャリアに対して送信された干渉除去情報を受信するように構成され、
前記第二ユニットは、具体的に、前記干渉除去指示メッセージ、前記基地局によって送信された前記干渉除去情報及び前記ＵＥが前記干渉除去指示メッセージには含まれたコンポーネントキャリアの識別子に対応するコンポーネントキャリアに対してブラインド検出して得られた干渉除去情報に基づいて、前記干渉除去指示メッセージには含まれたコンポーネントキャリアの識別子に対応するコンポーネントキャリアに対してＮＡＩＣＳを行うように構成される。
【０１０９】
好ましくは、前記第一ユニットと第二ユニットは、送受信機能を有する処理装置によって実現される。
【０１１０】
好ましくは、該ＮＡＩＣＳ装置はＵＥであってよい。
【０１１１】
図５に示すように、本発明の実施形態は、ネットワーク側でのネットワーク補助式干渉除去と抑制ＮＡＩＣＳの制御装置を提供し、前記装置は、
ユーザ装置ＵＥがＮＡＩＣＳを行うときに対応するコンポーネントキャリアの識別子を確定するように構成される確定ユニット２１と、
前記ＵＥへ、前記ＵＥがＮＡＩＣＳを行うときに対応するコンポーネントキャリアの識別子を含む干渉除去指示メッセージを送信するように構成される指示ユニット２２と、を備え、
前記コンポーネントキャリアは、該ＵＥに対してキャリアアグリゲーション伝送を行うコンポーネントキャリアに属する。
【０１１２】
好ましくは、前記確定ユニットは、前記ＵＥが報告した、該ＵＥがＮＡＩＣＳを行うときにサポートできるコンポーネントキャリアの個数を受信するように構成され、
前記確定ユニットは、ＵＥがＮＡＩＣＳを行うときに対応するコンポーネントキャリアの識別子を確定するときに、具体的に、
前記ＵＥによって報告された、該ＵＥがＮＡＩＣＳを行うときにサポートできるコンポーネントキャリアの個数に基づいて、ＵＥがＮＡＩＣＳを行うときに対応するコンポーネントキャリアの識別子を確定するように構成される。
【０１１３】
好ましくは、前記確定ユニットは、自身が維持する隣接セルのリストにより、前記ＵＥへ干渉測定通知を送信して、前記ＵＥが該干渉測定通知によって各コンポーネントキャリアに対して干渉測定を行うことを指示し、前記ＵＥが報告したコンポーネント目標コンポーネントキャリアを受信するように構成され、ここで、前記目標コンポーネントキャリアは、前記ＵＥが該干渉測定通知に基づいて各コンポーネントキャリアに対して干渉測定を行い、測定結果に基づいて選択されたものである。
【０１１４】
前記確定ユニットは、ＵＥがＮＡＩＣＳを行うときに対応するコンポーネントキャリアの識別子を確定するときに、具体的に、前記ＵＥによって報告された目標コンポーネントキャリアの情報に基づいて、ＵＥがＮＡＩＣＳを行うときに対応するコンポーネントキャリアの識別子を確定するように構成される。
【０１１５】
好ましくは、前記干渉除去指示メッセージに含まれたコンポーネントキャリアの識別子は、プライマリセルＰｃｅｌｌに対応するコンポーネントキャリアの識別子を含む。
【０１１６】
好ましくは、前記ＵＥが報告した目標コンポーネントキャリアの情報は、目標コンポーネントキャリアの識別子及びその候補優先順位を含み、
前記確定ユニットは、前記ＵＥによって報告された目標コンポーネントキャリアの情報に基づいて、前記ＵＥがＮＡＩＣＳを行うときに対応するコンポーネントキャリアの識別子を確定するときに、具体的に、
前記ＵＥによって報告された目標コンポーネントキャリアの候補優先順位に基づいて、コンポーネントキャリアを選択し、且つ選択されたコンポーネントキャリアに対応する識別子を、前記ＵＥがＮＡＩＣＳを行うときに対応するコンポーネントキャリアの識別子に確定するように構成される。
【０１１７】
好ましくは、前記確定ユニットは、前記ＵＥによって報告された目標コンポーネントキャリアの候補優先順位に基づいて、コンポーネントキャリアを選択するときに、具体的に、
前記ＵＥによって報告された目標コンポーネントキャリアの候補優先順位に基づいて、メディアアクセス制御ＭＡＣ層によってディアクティブされないコンポーネントキャリアを選択するように構成される。
【０１１８】
好ましくは、前記確定ユニットと指示ユニットは、送受信機能を有する処理装置によって実現される。
【０１１９】
好ましくは、該ＮＡＩＣＳ制御装置は基地局であってよく、例えばｅＮＢである。
【０１２０】
本分野の当業者であれば、本発明の実施例は方法、システム、或いはコンピュータプログラム製品を提供してよい。従って、本発明はハードウエア実施例、ソフトウエア実施例、或いはソフトウエアとハードウエアを結合する実施例の形式を採用してよい。且つ、本発明はコンピュータプログラムコードを含み、一つ又は複数のコンピュータ記憶媒体（ディスク記憶装置と光学記憶装置などが含まれるが、それに限らない）に行われるコンピュータプログラム製品の形式を採用してよい。
【０１２１】
本発明は本発明の実施例における方法、装置（システム）、コンピュータプログラム製品のフローチャート及び／又はブロック図により表れる。コンピュータプログラム命令がフローチャート及び／又はブロック図における各フロー及び／又はプロセス、及びフローチャート及び／又はブロック図におけるフロー及び／又はプロセスの結合を実現してよい。このコンピュータプログラム命令を汎用コンピュータ、専用コンピュータ、組込プロセッサー或いは他のプログラミングデータプロセス装置のプロセッサへ提供して１つの機器を生成することで、コンピュータ或いは他のプログラミングデータプロセス装置のプロセッサーに実行された命令によってフローチャートにおける１つ或いは複数のフロー及び／又はブロック図における１つ或いは複数のプロセスには指定される能力を実現するために用いられる装置を生成する。
【０１２２】
上記のコンピュータプログラム命令はコンピュータ或いは他のプログラミングデータプロセス装置が特定方式で動作させるように起こすコンピュータ読取メモリに記憶されてよく、該コンピュータ読取メモリに記憶された命令が命令装置を備える製造品を生成させ、該命令装置はフローチャートにおける１つ或いは複数のフロー及び／又はブロック図における１つ或いは複数のプロセスには指定される能力を実現する。
【０１２３】
上記のコンピュータプログラム命令がコンピュータ或いは他のプログラミングデータプロセス装置にインストールされてよく、コンピュータ或いは他のプログラミングデータプロセス装置に一連の動作ステップを実行させてコンピュータが実現するプロセスを生成し、そしてコンピュータ或いは他のプログラミングデータプロセス装置が実行された命令はフローチャートにおける１つ或いは複数のフロー及び／又はブロック図における１つ或いは複数のプロセスには指定される能力を実現するために用いられるステップを提供する。
【０１２４】
本発明の主旨精神と保護範囲を逸脱しない限り、当業者は、本発明に対して、各種の改修と変化を行うことができる。それで、本発明のこれらの改修と変化が本発明の請求項及び相当な技術範囲内に含まれば、本発明は、これらの改修と変化を含むことを旨とする。
【図１】
0006682517.tif 000003
【図２】
0006682517.tif 000004
【図３】
0006682517.tif 000005
【図４】
0006682517.tif 000006
【図５】
0006682517.tif 000007